(57)【特許請求の範囲】
【請求項１】
機器本体の複数の取付位置の１つを選択してそこに操作部を取り付け、その操作部と前記機器本体内の制御部間を主ハーネスで電気接続する電気・電子機器において、前記複数の取付位置間に、前記操作部の取付位置に応じて選択的に使用して該操作部と前記主ハーネスとを電気接続する中継ハーネスを備え付けてなる、電気・電子機器。
【発明の詳細な説明】
【０００１】
【産業上の利用分野】
この発明は、複写機・プリンタ・ファクシミリ・スキャナなど、各動作にかかる所定のキー入力を行う操作部を有する電気・電子機器に関する。詳しくは、その操作部を、機器本体の複数の取付位置の１つを選択してそこに取り付け、前記機器本体内の制御部と主ハーネスで電気接続する電気・電子機器に関する。
【０００２】
【従来の技術】
従来、たとえば複写機の中には、図１０に示すように、機器本体１を外装カバー２で覆ってなり、その機器本体１の矢印Ａ方向の前面３および矢印Ｂ方向の側面４に、操作部５の取付位置である横長の取付穴６・７を開ける構成としたものがある。
【０００３】
そして、はじめは、前面３の取付穴６を選択してそこに操作部５を取り付け、その操作部５と機器本体１内の制御部８間を主ハーネス９で電気接続する一方、側面４の取付穴７に蓋１０を取り付けていた。
【０００４】
ところが、たとえば実際の設置状態等によっては、操作部５を取付穴７に取り付けたほうが使いやすい場合もあり、そのような場合は、前面３の取付穴６から操作部５を取り外して該操作部５と主ハーネス９との電気接続を解除するとともに、側面４の取付穴７から蓋１０を取り外す。それから、機器本体１の外装カバー２を取り外し、主ハーネス９のはい廻しを変更して後、外装カバー２を再び被せる。そして、操作部５と前記制御部８間を主ハーネス９で電気接続してから側面４の取付穴７に操作部５を取り付ける一方、前面３の取付穴６に蓋１０を取り付けていた。
【０００５】
【発明が解決しようとする課題】
しかし、従来のそのような複写機では、操作部５の取付位置を変更するとき、外装カバー２を着脱したり主ハーネス９のはい廻しを変更したりするので、操作部５の付替作業に手間がかかる問題があった。
【０００６】
そこで、この発明の目的は、操作部の取付位置を変更するとき該操作部の付替作業に手間がかかることを防止することにある。
【０００７】
【課題を解決するための手段】
そのため、この発明は、たとえば以下の図示実施例に示すとおり、機器本体２０の複数の取付穴２９・３０のような取付位置の１つを選択してそこに操作部２８を取り付け、その操作部２８と前記機器本体２０内の制御部３７間を主ハーネス３８で電気接続する電気・電子機器において、前記複数の取付位置間に、前記操作部２８の取付位置に応じて選択的に使用して該操作部２８と前記主ハーネス３８とを電気接続する中継ハーネス４０を備え付けてなる、ことを特徴とする。
【０００８】
【作用】
そして、操作部２８の取付位置を変更するとき、その取付位置に応じて選択的に中継ハーネス４０を使用し、操作部２８を主ハーネス３８と電気接続する。
【０００９】
【実施例】
以下、図面を参照しつつ、この発明の実施例について詳細に説明する。
図１は、この発明の一実施例であるレーザ複写機を、機器本体から操作部と蓋とを取り外して示す斜視図である。
【００１０】
図中符号２０は、機器本体である。その機器本体２０は、外装カバー２１で覆われた上構造体２２および同じく外装カバー２３で覆われた下構造体２４からなり、図示しない支軸を中心として下構造体２４に対して上構造体２２を開閉自在に設けてなる。その上構造体２２の上面には、原稿を乗せるコンタクトガラス２５を設けるとともに、それを覆う図示しない原稿押えカバーを開閉自在に備えてなる。
【００１１】
しかして、このレーザ複写機を使用して記録を行なうときは、先ず、機器本体２０に外部操作可能に備えるスイッチボタンを押して電源をオンするとともに、原稿押えカバーを開き、コンタクトガラス２５上に原稿を載せてセット後、該原稿押えカバーを再び閉じて原稿を押え、後記する操作部に備えるスタートボタンを押す。
【００１２】
そして、前記原稿上の画像を読み取る一方、帯電・書き込み・現像・転写などの電子写真プロセスを繰り返すことにより、感光体上に読み取り画像を形成し、給紙部内から繰り出した用紙にその感光体上の画像を記録する。その記録後、用紙を図示しない排紙口から機器本体２０の外へ排出して排紙部にスタックする。
【００１３】
ところで、図示レーザ複写機は、基本的には前記機器本体２０の矢印Ｃ方向を前面とし、その上構造体２２の外装カバー２１に、操作部２８の取付位置である第１の取付穴２９を設ける一方、矢印Ｄ方向を側面とし、その上構造体２２の外装カバー２１に、操作部２８の取付位置である第２の取付穴３０を設けてなる。
【００１４】
その一方の第１の取付穴２９は、横長に形成する。そして、図２に示すように、その穴縁には、表面から浅く引っ込めて額状に受け部３３を設ける。その長手方向のほぼ中間位置には、上下に横切って取付片３４を一体に設けてなる。その取付片３４には、上下方向の中間位置にねじ穴３５を設ける。
【００１５】
他方の第２の取付穴３０も、図４に示すように、その第１の取付穴２９と同一寸法で同様の構成としてなる。
【００１６】
さて、前記上構造体２２の内部には、図１に示すように、適宜位置に制御部３７を配置するとともに、該制御部３７と前記第１の取付穴２９間に主ハーネス３８をはい廻して適宜手段でその位置を保持してなる。その主ハーネス３８は、一端を制御部３７に接続し、他端にコネクタ３９を取り付け、そのコネクタ３９を第１の取付穴２９の近くに設ける。
【００１７】
また、その第１の取付穴２９と前記第２の取付穴３０間には、中継ハーネス４０をはい廻して適宜手段でその位置を保持してなる。その中継ハーネス４０は、両端にコネクタ４１・４２を備え、一方のコネクタ４１を前記主ハーネス３８のコネクタ３９の近くに設け、他方のコネクタ４２を第２の取付穴３０の近くに設ける。
【００１８】
そして、図示レーザ複写機では、はじめは前記第１の取付穴２９を選択し、そこに操作部２８を取り付けてなる。その操作部２８は、外形を前記第１の取付穴２９および第２の取付穴３０に緩みなくはまり込む横長形状とする。
【００１９】
ところで、その操作部２８は、図２および図３に示すように、嵌合形状部４６と表示形状部４７とからなる。その表示形状部４７は、ほぼ長さ中間位置に凹部４９を設け、その凹部４９底に貫通して小穴５０を設けるとともに、上述したスタートボタン等を備える操作面４７ａを上向きに傾斜して設ける。その操作面４７ａには、図５に示すように、セグメント用穴５３を設ける。そのセグメント用穴５３内には、コピー枚数等を表示するセグメント表示型等の数値表示部材５９を入れてなる。その数値表示部材５９は、プリント基板５８上に配置し、上端を表示シート６０の裏面に接触して設ける。その表示シート６０は、アクリル等の透過性の樹脂材でつくり、表面に操作案内用の図案を印刷してなり、前記操作面４７ａ上に貼り付けてセグメント用穴５３を塞いでなる。一方、プリント基板５９は、表示形状部４７内に収納し、図１に示すように、ハーネス６２を介してコネクタ６３と接続してなる。
【００２０】
ところで、前記操作部２８の操作面４７ａには、図６および図７に示すように、セグメント用穴５４を設けてなる。そのセグメント用穴５４内には、４つの小さな接続部５５で接続して蓋部５６を分離可能に一体成形で形成する。そして、このような操作部２８に変倍機能を搭載しないときは、前記表示シート６０で覆って設ける。一方、操作部２８に変倍機能を搭載するときは、前記接続部５５をたとえばニッパー等で切り取り、蓋部５６を分離してセグメント用穴５４を開き、そこに前記プリント基板５８上の倍率表示用セグメントを入れ、該セグメント用穴５４を前記表示シート６０とは図案を異にする別の表示シートで覆ってなる。
【００２１】
しかして、上述したごとく構成した操作部２８は、図１中矢示方向から前記取付穴２９に取り付けるとき、コネクタ６３を主ハーネス３８のコネクタ３９に接続し、前記嵌合形状部４６を前記第１の取付穴２９に緩みなくはめ込み、周縁を受け部３３で受け止めるとともに、図２に示すように、小穴５０を通してねじ穴３５にねじ６５をねじ込み、該ねじ６５で前記上構造体２２の外装カバー２１に固定する。
【００２２】
一方、前記第２の取付穴３０には、図１および図４に示すように、蓋６６を取り付けてなる。その蓋６６は、平板状で、横長形状に形成するとともに、中央に小穴６７を設ける。
【００２３】
そして、図１中矢示方向から前記第２の取付穴３０に緩みなくはめ込み、周縁を前記受け部３３で受け止めるとともに、図４に示すように、小穴６７を通してねじ穴３５にねじ６５をねじ込み、該ねじ６５で前記上構造体２２の外装カバー２１に蓋６６を固定する。
【００２４】
さて、上述したように第１の取付穴２９を選択し、そこに操作部２８を取り付けてなるレーザ複写機において、たとえば設置場所等によっては操作部２８を取付穴３０に取り付けた方が使いやすい場合がある。そのような場合は、前記ねじ６５を緩めて第１の取付穴２９から操作部２８を取り外し、主ハーネス３８のコネクタ３９からコネクタ６３を分離し、コネクタ３９に前記中継ハーネス４０のコネクタ４１を接続する。また、ねじ６５を緩めて第２の取付穴３０から蓋６６を取り外す。
【００２５】
それから、中継ハーネス４０のコネクタ４２に操作部２８のコネクタ６３を接続するとともに、その操作部２８を第２の取付穴３０に緩みなくはめ込み、第１の取付穴２９に取り付けた場合と同様にねじ６５で固定して付け替える。
【００２６】
一方、蓋６６は、前記第１の取付穴２９に緩みなくはめ込み、第２の取付穴３０に取り付けた場合と同様にねじ６５で固定して付け替える。
【００２７】
なお、図示レーザ複写機では、操作部２８および蓋６６は、第１の取付穴２９および第２の取付穴３０で位置決めし、それぞれ１本のねじ６５で外装カバー２１に固定した。しかし、操作部２８および蓋６６の固定は、これに限るものでなく、いろいろ考えられるが、たとえば図８に示すように操作部２８の長さ方向両端に鍔部を設け、そこにねじ６８を挿通して固定する構成としてもよいし、図９に示すように蓋６６の長さ方向両端に鍔部を設け、そこにねじ６８を挿通して固定する構成としてもよい。
【００２８】
また、図示レーザ複写機では、操作部２８の取付穴２９・３０を設け、それら２個の取付穴２９・３０間に、該操作部２８と主ハーネス３８とを電気接続する中継ハーネス４０を備え付ける構成とした。しかし、これに限るものでなく、操作部２８の取付穴２９・３０に加えて図示しない別の取付穴を設けて取付穴を３個以上とし、それら複数の取付穴間に、その操作部２８の取付位置に応じて選択的に使用して該操作部２８と主ハーネス３８とを電気接続する中継ハーネス４０を備え付ける構成としてもよい。
【００２９】
【発明の効果】
以上のことから、この発明によれば、操作部の取付位置を変更するとき、その取付位置に応じて選択的に中継ハーネスを使用し、操作部を主ハーネスと電気接続するので、従来のように機器本体の外装カバーを着脱したり主ハーネスのはい廻しを変更したりする面倒な手間を省くことができ、操作部の付替作業を簡単に行うことができる。
【図面の簡単な説明】
【図１】この発明の一実施例であるレーザ複写機で、その機器本体から操作部と蓋とを取り外して示す斜視図である。
【図２】その一方の取付穴部分への操作部の取り付け状態を説明するための状態説明図である。
【図３】その操作部の中央縦断面図である。
【図４】その他方の取付穴部分への蓋の取り付け状態を説明するための状態説明図である。
【図５】前記操作部のセグメント用穴部分の縦断面図である。
【図６】その操作面の他のセグメント用穴部分の平面図である。
【図７】その縦断面図である。
【図８】前記操作部の取付穴部分への取り付け状態を説明する他の例の状態説明図である。
【図９】前記蓋の取付穴部分への取り付け状態を説明する他の例の状態説明図である。
【図１０】従来の複写機の概略斜視図である。
【符号の説明】
２０  機器本体
２８  操作部
２９  第１の取付穴（取付位置）
３０  第２の取付穴（取付位置）
３７  制御部
３８  主ハーネス
４０  中継ハーネス
【図１】
0003623277.tif 000002
【図２】
0003623277.tif 000003
【図３】
0003623277.tif 000004
【図４】
0003623277.tif 000005
【図５】
0003623277.tif 000006
【図６】
0003623277.tif 000007
【図７】
0003623277.tif 000008
【図８】
0003623277.tif 000009
【図９】
0003623277.tif 000010
【図１０】
0003623277.tif 000011